(57)【要約】      （修正有）【課題】１枚の絵を見ている感覚で一年もすれば難解な周期律表も自然に理解できるようになる周期律表を提供する。【解決手段】周期をアベニュー１に、族をストリート２に見立てて、両者の交差点３に元素記号をしるし、その廻り４に元素又はその化合物からなる物質又はその特性を描くか或いは実物を付着させて元素街Ａを表の中央上部に配置し、元素街Ａの下に視線がこれに向かって誘導されるような線又は形からなる周期律表Ｂを配置し、周期律表Ｂの下に一般名と化学名を記入した宝石明細表Ｃと、さらにその下に身の廻りの物質明細表Ｄを配置した周期律表である。【選択図】図１
0003188968.tif 000002
【実用新案登録請求の範囲】
【請求項１】
周期をアベニュー（１）に、族をストリート（２）に見立てて、両者の交差点（３）に元素記号をしるし、その廻り（４）に元素又はその化合物からなる物質又はその特性を描くか或いは実物を付着させて元素街（Ａ）を表の中央上部に配置し、
元素街（Ａ）の下に視線がこれに向かって誘導されるような線又は形からなる周期律表（Ｂ）を配置し、
周期律表（Ｂ）の下に一般名と化学名を記入した宝石明細表（Ｃ）と、さらにその下に身の廻りの物質明細表（Ｄ）を配置し、
元素街（Ａ）の左側には音速が物質によって異なることの略図（５）と放電による０族元素の発色（６）を配置し、
元素街（Ａ）の右側には水彩絵の具の名称と色見本、化学式（７）を配置し、
宝石明細表（Ｃ）と物質明細表（Ｄ）の右側には放電色と炎色反応明細表（８）と、さらにその右側に空と海の成分表（９）を配置し、
宝石明細表（Ｃ）と物質明細表（Ｄ）の左側には周期律の記憶方法（１０）を配置し、
和やかなリズムを感じさせる各国の歌や踊り、劇場、酒場、ワインを飲む女性等を描いた絵（Ｅ）で元素街（Ａ）周期律表（Ｂ）宝石明細表（Ｃ）物質明細表（Ｄ）の廻りを包んだことを特徴とする周期律表。
【考案の詳細な説明】
【技術分野】
【０００１】
本願考案は、周期律表に関するものである。
【背景技術】
【０００２】
周期律表（周期表）には、教科書や参考書等に記載されているような一般的な表から、これを学習しやすく工夫されたもの（特許文献１など）まで様々なものがある。
【先行技術文献】
【特許文献】
【０００３】
【特許文献１】実用新案登録第３１７５７８９号公報
【考案の概要】
【考案が解決しようとする課題】
【０００４】
本願考案者は、従来の周期律表を改善し、１枚の絵を見ているだけで一年もすれば難解な周期律表も自然に理解できるようになる構想で作成しており、子供がこれを眺めてゆるぎなき豊かな創造力が生まれ育つことを願って、本願考案を完成させたものである。
【課題を解決するための手段】
【０００５】
本願考案は、周期をアベニュー（１）に、族をストリート（２）に見立てて、両者の交差点（３）に元素記号をしるし、その廻り（４）に元素又はその化合物からなる物質又はその特性を描くか或いは実物を付着させて元素街（Ａ）を表の中央上部に配置し、
元素街（Ａ）の下に視線がこれに向かって誘導されるような線又は形からなる周期律表（Ｂ）を配置し、
周期律表（Ｂ）の下に一般名と化学名を記入した宝石明細表（Ｃ）と、さらにその下に身の廻りの物質明細表（Ｄ）を配置し、
元素街（Ａ）の左側には音速が物質によって異なることの略図（５）と放電による０族元素の発色（６）を配置し、
元素街（Ａ）の右側には水彩絵の具の名称と色見本、化学式（７）を配置し、
宝石明細表（Ｃ）と物質明細表（Ｄ）の右側には放電色と炎色反応明細表（８）と、さらにその右側に空と海の成分表（９）を配置し、
宝石明細表（Ｃ）と物質明細表（Ｄ）の左側には周期律の記憶方法（１０）を配置し、
和やかなリズムを感じさせる各国の歌や踊り、劇場、酒場、ワインを飲む女性等を描いた絵（Ｅ）で元素街（Ａ）周期律表（Ｂ）宝石明細表（Ｃ）物質明細表（Ｄ）の廻りを包んだことを特徴とする周期律表である。
【考案の効果】
【０００６】
本願考案に係る周期律表によれば、絵を見ている感覚で周期律表が理解できるようになるとともに、まるで元素街を瞑想しているような気分になれる周期律表である。
【図面の簡単な説明】
【０００７】
【図１】本願考案に係る周期律表の全体図。
【図２】本願考案に係る周期律表の全体略図。
【図３】本願考案に係る周期律表の元素街（Ａ）及び周期律表（Ｂ）等の部分拡大図。
【図４】本願考案に係る周期律表の宝石明細表（Ｃ）、物質明細表（Ｄ）及び周期律の記憶方法（１０）の部分拡大図。
【図５】本願考案に係る周期律表の放電色と炎色反応明細表（８）及び空と海の成分表（９）の部分拡大図。
【図６】本願考案に係る周期律表の水彩絵の具の名称と色見本（７）及びマチスの絵（１４）の部分拡大図。
【図７】本願考案に係る周期律表の（Ｅ）［絵（１１）〜（２０）］の部分拡大図。
【考案を実施するための形態】
【０００８】
本願考案に係る「周期律表」を図面に基づいて説明する。
周期律表の中央最上部には、瞑想する人の顔を配置している。
その下の中央上部には、周期をアベニュー（１）に、族をストリート（２）に見立てて、両者の交差点（３）に元素記号をしるし、その廻り（４）に元素又はその化合物からなる物質（宝石や身の廻りに存在する物質）又はその特性を描くか或いは実物を付着させて元素街（Ａ）を配置している。
元素街（Ａ）の下には、視線がこれに向かって誘導されるような線又は形からなる周期律表（Ｂ）を配置している。
周期律表（Ｂ）の下には、一般名と化学名を記入した宝石明細表（Ｃ）と、さらにその下に身の廻りの物質明細表（Ｄ）を配置して照合できるようにしている。
元素街（Ａ）の左側には音速が物質によって異なることの略図（５）と放電による０族元素の発色（６）を配置している。
元素街（Ａ）の右側には水彩絵の具の名称と色見本、化学式（７）を配置している。
宝石明細表（Ｃ）と物質明細表（Ｄ）の右側には放電色と炎色反応明細表（８）と、さらにその右側に空と海の成分表（９）を配置している。
宝石明細表（Ｃ）と物質明細表（Ｄ）の左側には周期律の記憶方法（１０）を配置している。
【０００９】  そして、上記の他に、難解な周期律表を楽しく眺めさせるために、（Ｅ）なる手段でこれらを包んだ。  （Ｅ）とは、すなわち、瞑想する人の顔の右側に「阿波踊り、鳴門の渦潮（１１）」を、その右側に「タンゴ歌手カルロス・カルデル（１２）」を、その下側に「アルゼンチンタンゴ、ラ・クンパルシータを踊る人（１３）」を、「阿波踊り、鳴門の渦潮（１１）」の下側に「マチスの絵（１４）」を、「アルゼンチンタンゴ、ラ・クンパルシータを踊る人（１３）」の下側に「バンドネオンを奏でる人（１５）」を、その下側に「アカンベー、タンゴのふる里ブエノスアイレスの地図（１６）」、その斜め左上側に「古代エジプトの神々、即ち横たわる大地（ゲブ）の上に立ち天空（ヌト）を支える大気（シュウ）の姿（１７）」を配置している。  また、瞑想する人の顔の左側に「ロートレックやドガの踊り子（１８）」と「酒場、ワインを飲む女（１９）」を、その下側に（公序良俗違反につき、不掲載）を配置している。
【００１０】
以上のような周期律表によれば、絵を見ている感覚で周期律表が理解できるようになるとともに、まるで元素街を瞑想しているような気分になれる周期律表である。
【産業上の利用可能性】
【００１１】
本願考案に係る「周期律表」は、生徒や学生のみならず、社会人や高齢者でも楽しみながら化学の基礎知識である「周期律表」を理解できるようになる。
【符号の説明】
【００１２】
（Ａ）  元素街
（Ｂ）  周期律表
（Ｃ）  宝石明細表
（Ｄ）  物質明細表
（Ｅ）  難解な周期律表を楽しく眺めさせるための手段
（１）  アベニュー
（２）  ストリート
（３）  交差点
（４）  廻り
（５）  音速が物質によって異なることの略図
（６）  放電による０族元素の発色
（７）  水彩絵の具の名称と色見本、化学式
（８）  放電色と炎色反応明細表
（９）  空と海の成分表
（１０）  周期律の記憶方法
（１１）  阿波踊り、鳴門の渦潮
（１２）  タンゴ歌手カルロス・カルデル
（１３）  アルゼンチンタンゴ、ラ・クンパルシータを踊る人
（１４）  マチスの絵
（１５）  バンドネオンを奏でる人
（１６）  アカンベー、タンゴのふる里ブエノスアイレスの地図
（１７）  古代エジプトの神々、即ち横たわる大地（ゲブ）の上に立ち天空（ヌト）を支        える大気（シュウ）の姿
（１８）  ロートレックやドガの踊り子
（１９）  酒場、ワインを飲む女
【図１】
0003188968.tif 000003
【図２】
0003188968.tif 000004
【図３】
0003188968.tif 000005
【図４】
0003188968.tif 000006
【図５】
0003188968.tif 000007
【図６】
0003188968.tif 000008
【図７】
0003188968.tif 000009
【手続補正書】
【提出日】平成25年9月2日(2013.9.2)
【手続補正１】
【補正対象書類名】実用新案登録請求の範囲
【補正対象項目名】請求項１
【補正方法】変更
【補正の内容】
【請求項１】
周期をアベニュー（１）に、族をストリート（２）に見立てて、両者の交差点（３）に元素記号をしるし、その廻り（４）に元素又はその化合物からなる物質又はその特性を描くか或いは実物を付着させて元素街（Ａ）を表の中央上部に配置し、
元素街（Ａ）の下に視線がこれに向かって誘導されるような線又は形からなる周期律表（Ｂ）を配置し、
周期律表（Ｂ）の下に一般名と化学名を記入した宝石明細表（Ｃ）と、さらにその下に身の廻りの物質明細表（Ｄ）を配置し、
元素街（Ａ）の左側には音速が物質によって異なることの略図（５）と放電による０族元素の発色（６）を配置し、
元素街（Ａ）の右側には水彩絵の具の名称と色見本、化学式（７）を配置し、
宝石明細表（Ｃ）と物質明細表（Ｄ）の右側には放電色と炎色反応明細表（８）と、さらにその右側に空と海の成分表（９）を配置し、
宝石明細表（Ｃ）と物質明細表（Ｄ）の左側には周期律の記憶方法（１０）を配置し、
和やかなリズムを感じさせる各国の歌や踊り、劇場、酒場、ワインを飲む女性等を描いた絵（Ｅ）で元素街（Ａ）周期律表（Ｂ）宝石明細表（Ｃ）物質明細表（Ｄ）の廻りを包んだことを特徴とする周期律表を表示した印刷物。
【手続補正３】
【補正対象書類名】明細書
【補正対象項目名】０００９
【補正方法】変更
【補正の内容】
【０００９】
そして、上記の他に、難解な周期律表を楽しく眺めさせるために、（Ｅ）なる手段でこれらを包んだ。
（Ｅ）とは、すなわち、瞑想する人の顔の右側に「阿波踊り、鳴門の渦潮（１１）」を、その右側に著名な「タンゴ歌手（１２）」を、その下側に「アルゼンチンタンゴ、ラ・クンパルシータを踊る人（１３）」を、「阿波踊り、鳴門の渦潮（１１）」の下側に「マチスの絵（１４）」を、「アルゼンチンタンゴ、ラ・クンパルシータを踊る人（１３）」の下側に「バンドネオンを奏でる人（１５）」を、その下側に「アカンベー、タンゴのふる里ブエノスアイレスの地図（１６）」、その斜め左上側に「古代エジプトの神々、即ち横たわる大地（ゲブ）の上に立ち天空（ヌト）を支える大気（シュウ）の姿（１７）」を配置している。
また、瞑想する人の顔の左側に「ロートレックやドガの踊り子（１８）」と「酒場、ワインを飲む女（１９）」を、その下側に著名な「パリの劇場（２０）」を配置している。
【手続補正４】
【補正対象書類名】図面
【補正対象項目名】図１
【補正方法】変更
【補正の内容】
【図１】
0003188968.tif 000010
【手続補正５】
【補正対象書類名】図面
【補正対象項目名】図２
【補正方法】変更
【補正の内容】
【図２】
0003188968.tif 000011
【手続補正６】
【補正対象書類名】図面
【補正対象項目名】図７
【補正方法】変更
【補正の内容】
【図７】
0003188968.tif 000012
【手続補正書】
【提出日】平成25年12月2日(2013.12.2)
【手続補正１】
【補正対象書類名】図面
【補正対象項目名】図１
【補正方法】変更
【補正の内容】
【図１】
0003188968.tif 000013
【手続補正２】
【補正対象書類名】図面
【補正対象項目名】図２
【補正方法】変更
【補正の内容】
【図２】
0003188968.tif 000014